(57)【要約】【課題】Ｘ線撮影装置本体の操作パネルに電気的に接続され、Ｘ線撮影装置の内部に配置された基板に液体が侵入するのを検知することが可能なＸ線撮影装置を提供する。【解決手段】このＸ線撮影装置１００は、Ｘ線撮影装置１００は、Ｘ線撮影台１に配置される複数の操作入力部３１を含む操作パネル３と、操作パネル３の内部に配置され、操作入力部３１が操作されることにより出力信号を出力する回路４１と、液体の侵入を検知する検知部４２とを含む基板４を備える。【選択図】図１
2020171484.tif 000002
【特許請求の範囲】
【請求項１】
被検体が載置される天板を含むＸ線撮影台と、
被検体に対してＸ線を照射するＸ線源と、前記Ｘ線源から照射され、被検体を透過したＸ線を検出するＸ線検出器とを含む撮影部と、
前記Ｘ線撮影台に配置される複数の操作入力部を含む操作パネルと、
前記操作パネルの内部に配置され、前記操作入力部が操作されることにより出力信号を出力する回路と、液体の侵入を検知する検知部とを含む基板と、を備える、Ｘ線撮影装置。
【請求項２】
前記検知部は、前記基板の表面上に配置される第１導電性パターンと、前記基板の表面上に前記第１導電性パターンと離間して配置される第２導電性パターンとを含み、前記第１導電性パターンと前記第２導電性パターンとが短絡したことに基づいて液体の侵入を検知する、請求項１に記載のＸ線撮影装置。
【請求項３】
前記第１導電性パターンと、前記第２導電性パターンとは、前記回路を囲むように、所定の間隔を隔てて、並べて配置されている、請求項２に記載のＸ線撮影装置。
【請求項４】
前記検知部は、前記第１導電性パターンに接続された、電源、抵抗、および検知回路をさらに含み、
前記第２導電性パターンは、グランドに接続されている、請求項２または３に記載のＸ線撮影装置。
【請求項５】
前記第２導電性パターンは、前記第１導電性パターンよりも外側に配置されている、請求項４に記載のＸ線撮影装置。
【請求項６】
前記第１導電性パターンおよび前記第２導電性パターンは、前記基板の表面の外周部に沿って配置されている、請求項２〜５のいずれか１項に記載のＸ線撮影装置。
【請求項７】
前記第１導電性パターンおよび前記第２導電性パターンは、前記基板の表側表面と裏側表面とに設けられている、請求項２〜６のいずれか１項に記載のＸ線撮影装置。
【請求項８】
前記第１導電性パターンと前記第２導電性パターンとが短絡したときに、前記回路からの出力信号を処理しない制御を行う制御部をさらに含む、請求項２〜７のいずれか１項に記載のＸ線撮影装置。
【請求項９】
前記第１導電性パターンと前記第２導電性パターンとが短絡したときに、警告を表示する表示部をさらに含む、請求項２〜８のいずれか１項に記載のＸ線撮影装置。
【発明の詳細な説明】
【技術分野】
【０００１】
本発明は、Ｘ線撮影装置に関する。
【背景技術】
【０００２】
従来、操作パネルを備えるＸ線透視撮影装置が知られている（たとえば、特許文献１参照）。
【０００３】
上記特許文献１には、被検体を載置する天板を有する検診台と、天板に載置された被検体に向けてＸ線を照射するＸ線管と、被検体を挟んでＸ線管と対向して配置され、被検体を透過したＸ線を検知するＸ線検出器とを備えた、Ｘ線透視撮影装置が開示されている。また、特許文献１のＸ線透視撮影装置は、検診台の外縁部に設けられ、操作入力が行われる操作パネルを備える。
【先行技術文献】
【特許文献】
【０００４】
【特許文献１】特開２０１１−２２４１２０号公報
【発明の概要】
【発明が解決しようとする課題】
【０００５】
特許文献１に開示されていないが、Ｘ線透視撮影装置（Ｘ線撮影装置）を用いた透視撮影中に、被検体への薬剤の投与、または、被検体から血液などの検体の採取を行う場合がある。この場合に、薬剤および検体などの液体が、検診台にこぼれる可能性がある。また、Ｘ線透視撮影装置（Ｘ線撮影装置）を雑巾等により拭き清掃する場合に、雑巾等に含ませた水などの液体が検診台にこぼれる可能性もある。そうすると、検診台の外縁部に設けられた操作パネルから液体が侵入し、侵入した液体が、操作パネルに電気的に接続され、Ｘ線撮影装置の内部に配置された基板に接触する可能性がある。
【０００６】
そこで、上記のような可能性を考慮して、Ｘ線撮影装置本体の操作パネルに電気的に接続され、Ｘ線撮影装置の内部に配置された基板に液体が侵入した場合に、液体の侵入を検知可能なＸ線撮影装置の開発が望まれている。
【０００７】
この発明は、上記のような課題を解決するためになされたものであり、この発明の１つの目的は、Ｘ線撮影装置本体の操作パネルに電気的に接続され、操作パネルの内部に配置された基板に液体が侵入するのを検知することが可能なＸ線撮影装置を提供することである。
【課題を解決するための手段】
【０００８】
上記目的を達成するために、この発明の一の局面におけるＸ線撮影装置は、被検体が載置される天板を含むＸ線撮影台と、被検体に対してＸ線を照射するＸ線源と、Ｘ線源から照射され、被検体を透過したＸ線を検知するＸ線検出器とを含む撮影部と、Ｘ線撮影台に配置される複数の操作入力部を含む操作パネルと、操作パネルの内部に配置され、操作入力部が操作されることにより出力信号を出力する回路と、液体の侵入を検知する検知部とを含む基板と、を備える。
【０００９】
この発明の一の局面によるＸ線透視撮影装置では、上記のように、Ｘ線撮影台に配置される複数の操作入力部を含む操作パネルと、操作パネルの内部に配置され、操作入力部が操作されることにより出力信号を出力する回路と、液体の侵入を検知する検知部とを含む基板を備える。これにより、操作パネルに接続された回路を含む基板に検知部を設けることにより、Ｘ線撮影装置本体の操作パネルに電気的に接続され、Ｘ線撮影装置の内部に配置された基板に液体が侵入するのを検知することができる。
【００１０】
上記一の局面によるＸ線撮影装置において、好ましくは、検知部は、基板の表面上に配置される第１導電性パターンと、基板の表面上に第１導電性パターンと離間して配置される第２導電性パターンとを含み、第１導電性パターンと第２導電性パターンとが短絡したことに基づいて液体の侵入を検知する。このように構成すれば、第１導電性パターンと第２導電性パターンとを離間して配置することにより、液体が侵入していない場合は、第１導電性パターンと第２導電性パターンとは短絡しない。そして、侵入した液体が第１導電性パターンと第２導電性パターンとに接触することにより、第１導電性パターンと第２導電性パターンとが短絡する。そのため、第１導電性パターンと第２導電性パターンとの短絡を検知することにより、液体の侵入を検知することができる。
【００１１】
この場合、好ましくは、第１導電性パターンと、第２導電性パターンとは、回路を囲むように、所定の間隔を隔てて、並べて配置されている。このように構成すれば、回路を囲むように配置することにより、基板の外周側から液体が侵入する場合に、回路に到達する前に液体の侵入を確実に検知することができる。また、操作パネルにおける複数の操作入力部の各々に対して液体の侵入を検知する検知部を設ける場合と比して、操作パネルの製造コストを小さくすることができるとの効果も奏する。
【００１２】
検知部は、基板の表面上に配置される第１導電性パターンと、基板の表面上に第１導電性パターンと離間して配置される第２導電性パターンとを含む構成において、好ましくは、検知部は、第１導電性パターンに接続された、電源、抵抗、および検知回路をさらに含み、第２導電性パターンは、グランドに接続されている。このように構成すれば、第１導電性パターンと第２導電性パターンとが短絡していない状態では、電源の電圧が検知回路に伝わる。一方、第１導電性パターンと第２導電性パターンとが短絡することにより、電源とグランドとが接続される。その場合、短絡していない状態と比べて、検知回路が検知する電圧が小さくなる。これにより、電圧の差を利用することにより、第１導電性パターンと第２導電性パターンとの短絡を検知部は、検知回路により検知することができる。その結果、検知回路に入力される電圧レベルを監視するだけの簡素な構成により、容易に液体の侵入を検知することができる。
【００１３】
この場合、好ましくは、第２導電性パターンは、第１導電性パターンよりも外側に配置されている。このように構成すれば、検知回路と検知回路が接続されている第１導電性パターンとを第２導電性パターンよりも内側に配置することができる。そのため、検知回路と第１導電性パターンとを接続するための配線を、第２導電性パターンを跨ぐように配置する必要がないため、検知回路と第１導電性パターンとを容易に配線により接続することができる。
【００１４】
上記一の局面によるＸ線撮影装置において、好ましくは、第１導電性パターンおよび第２導電性パターンは、基板の表面の外周部に沿って配置されている。このように構成すれば、基板の表面の外周部に沿って配置することにより、複数の操作入力部に対応する複数の回路がある場合に、複数の回路全体を囲むように第１導電性パターンおよび第２導電性パターンを配置することができる。その結果、回路ごとに第１導電性パターンおよび第２導電性パターンを配置する場合と比べて、第１導電性パターンおよび第２導電性パターンの構成を簡素化することができる。
【００１５】
上記一の局面によるＸ線撮影装置において、好ましくは、第１導電性パターンおよび第２導電性パターンは、基板の表面と裏面とに設けられている。このように構成すれば、基板の表面と裏面とのいずれの面に液体が侵入した場合であっても、検知部は、液体の侵入を検知することができる。
【００１６】
上記一の局面によるＸ線撮影装置において、第１導電性パターンと第２導電性パターンとが短絡したときに、回路からの出力信号を処理しない制御を行う制御部をさらに含む。このように構成すれば、基板に液体が侵入し、回路からユーザの操作に基づかない出力信号が出力された場合でも、制御部が処理しないことにより、ユーザが意図しないＸ線撮影装置の動作を抑制することができる。
【００１７】
上記一の局面によるＸ線撮影装置において、第１導電性パターンと第２導電性パターンとが短絡したときに、警告を表示する表示部をさらに含む。このように構成すれば、表示部に表示された警告により、ユーザは、操作パネルに電気的に接続されたＸ線撮影装置の内部に配置された基板に液体が侵入したことを認識する。そのため、液体の侵入に気づかずにＸ線撮影装置が使用され続けることを抑制することができるとともに、液体の侵入に対して迅速に対処することができる。
【発明の効果】
【００１８】
本発明によれば、上記のように、Ｘ線撮影装置本体の操作パネルに電気的に接続され、Ｘ線撮影装置の内部に配置された基板に液体が侵入するのを検知することが可能なＸ線撮影装置を提供することができる。
【図面の簡単な説明】
【００１９】
【図１】Ｘ線撮影装置の全体構成を示すブロック図である。
【図２】Ｘ線撮影装置の一例を示す模式図である。
【図３】操作パネルの一例を示す図である。
【図４】操作パネルの内部を示す模式図である。
【図５】第１導電性パターンと第２導電性パターンとの配置の一例を示す図である。
【図６】Ｘ線撮影装置の動作の一例を示す図である。
【発明を実施するための形態】
【００２０】
以下、本発明を具体化した実施形態を図面に基づいて説明する。
【００２１】
図１〜図５を参照して、一実施形態によるＸ線撮影装置１００の構成について説明する。
【００２２】
（Ｘ線撮影装置の構成）
図１に示すように、本実施形態のＸ線撮影装置１００は、Ｘ線撮影台１と、撮影部２と、操作パネル３と、基板４と、を備えている。さらに、Ｘ線撮影装置１００は、表示部５と、外部操作部６とを備える。
【００２３】
図１および、図２に示すように、Ｘ線撮影台１は、天板１１を含んでいる。天板１１には、被検体５０が載置される。天板１１は、平面視において、長方形の平板状に形成されている。被検体５０は、被検体５０の頭足方向が長方形の長辺に沿う方向、かつ、被検体５０の左右方向が長方形の短辺に沿う方向となるように、天板上に載置される。被検体５０の頭足方向とは、被検体５０の頭部と足部とを結ぶ直線に沿う方向である。
【００２４】
Ｘ線撮影台１は、支柱７に支持されている。Ｘ線撮影台１は、ユーザによる操作パネル３の操作により、支柱７を軸としてＸＹ方向に移動する。また、Ｘ線撮影台１は、ユーザの操作により、支柱７に対する角度を変更することができる。
【００２５】
図１に示すように、Ｘ線撮影台１は、さらに、第１制御部１２を備える。操作パネル３の操作入力部３１から出力された出力信号は第１制御部１２において処理される。ここで、第１制御部１２は、特許請求の範囲に記載された「制御部」の一例である。
【００２６】
撮影部２は、Ｘ線源２１とＸ線検出器２２とを含む。撮影部２は、Ｘ線源２１から被検体５０に照射されたＸ線をＸ線検出器２２によって検知することにより、Ｘ線画像を撮影するように構成されている。Ｘ線源２１は、図示しないＸ線管駆動部によって電圧が印加されることにより、被検体５０に対してＸ線を照射するように構成されている。
【００２７】
Ｘ線検出器２２は、Ｘ線源２１から照射され、被検体５０を透過したＸ線を検知するように構成されている。Ｘ線検出器２２は、たとえば、ＦＰＤ（Ｆｌａｔ  Ｐａｎｅｌ  Ｄｅｔｅｃｔｏｒ：フラットパネルディテクタ）を含む。Ｘ線検出器２２は、複数の変換素子（図示せず）と複数の変換素子上に配置された画素電極（図示せず）とにより構成されている。複数の変換素子および画素電極は、所定の周期（画素ピッチ）において、検知面上においてアレイ状に配列されている。
【００２８】
図２および図３に示すように、操作パネル３は、Ｘ線撮影台１に設けられている。操作パネル３は、複数の操作入力部３１を含む。操作入力部３１は、１枚のシート状に構成されている。操作入力部３１は、たとえば、Ｘ線撮影台１の位置調整ボタン、または、操作権ボタンを含む。
【００２９】
Ｘ線撮影台１の位置調整ボタンは、支柱７を軸にＸＹ方向に天板１１を移動させるためのボタンを含む。また、Ｘ線撮影台１の位置調整ボタンは、天板１１の支柱７に対する角度を変更し、天板１１を傾けるために用いられる。
【００３０】
操作権ボタンは、Ｘ線撮影装置１００の操作権限を決定するためのボタンのことである。Ｘ線撮影装置１００は、Ｘ線撮影台１に設けられた操作パネル３、または、Ｘ線撮影装置１００を離れた場所から操作する外部操作部６（図１参照）のうち操作権限を有している方からの入力信号によって動作する。操作権ボタンは、操作パネル３と外部操作部６との間において、操作の権限を切り替えるために使用される。
【００３１】
操作パネル３は、たとえば、ねじによって、Ｘ線撮影台１に固定されており、取り外すことが可能である。また、操作パネル３を取り外すことにより、操作パネル３の内部に配置された基板４を交換することができる。図４に示すように、操作入力部３１と基板４との間にはスペーサ８が配置されている。図４のＹ１方向は、操作入力部３１の表面側である。スペーサ８を設けることにより、操作入力部３１の操作によってスイッチ３２が稼働する。スイッチ３２が稼働し、基板４の回路４１に電気的に接続することによりオン信号が第１制御部１２に出力される。
【００３２】
図５は、図３に示す操作パネル３の内部に設けられる基板４を模式的に表した図である。基板４は、複数の操作入力部３１に対応する複数の回路４１と、検知部４２とを含む。回路４１は、複数の操作入力部３１に対応して複数設けられる。回路４１は、ユーザにより操作入力部３１が操作されることにより、オン状態とオフ状態とが切り替わる。そして、基板４から第１制御部１２にオン信号およびオフ信号が出力される。オン信号を受信したときは、第１制御部１２は、信号に応じた制御を行う。オン状態のときにオフ信号を受信したときは、第１制御部１２は、オフ信号に応じて、Ｘ線撮影装置１００の動作を停止する。なお、図５では、回路４１を模式的に２つ記載しているが、２つに限られない。
【００３３】
図５に示すように、検知部４２は、第１導電性パターン４２１と、第２導電性パターン４２２と、電源４２３と、抵抗４２４と、検知回路４２５と、グランド４２６を備える。第１導電性パターン４２１、および第２導電性パターン４２２は、基板４の表側表面と裏側表面とに設けられている。第１導電性パターン４２１、および第２導電性パターン４２２は、たとえば、導電率の高い金属製の配線である。第１導電性パターン４２１と第２導電性パターン４２２とは、複数の回路４１を囲むように同心状に並べて配置されている。また、第１導電性パターン４２１と第２導電性パターン４２２との間は、所定の間隔が設けられている。所定の間隔は、第１導電性パターン４２１と第２導電性パターン４２２とに侵入した液体が接触できる間隔である。たとえば、基板４が１０ｍｍ×２０ｍｍの大きさの場合、所定の間隔は１ｍｍ程度である。
【００３４】
第２導電性パターン４２２は、第１導電性パターン４２１よりも基板４の外周部側に近い位置に設けられる。また、第１導電性パターン４２１および第２導電性パターン４２２は、基板４の表面の外周部に沿って環状に配置されている。第１導電性パターン４２１は、検知回路４２５と接続されている。第１導電性パターン４２１と検知回路４２５との間には、電源４２３と抵抗４２４とが接続されている。第２導電性パターン４２２は、グランド４２６に接続されている。検知回路４２５は、たとえば、ＩＣ（integrated circuit）である。
【００３５】
電源４２３は、たとえば、ＶＣＣ電源である。また、抵抗４２４は、たとえば、プルアップ抵抗である。第１導電性パターン４２１と第２導電性パターン４２２との間は、電気的に絶縁している。第１導電性パターン４２１と第２導電性パターン４２２との間において短絡がない場合に、電源４２３からの電圧が伝わることにより、検知回路４２５は、検知回路４２５の入力電圧が、電源４２３の電圧にほぼ等しくなるため、Ｈｉｇｈ状態（Ｈレベル）の電位を検知している。第１導電性パターン４２１と第２導電性パターン４２２とに液体が接触し、第１導電性パターン４２１と第２導電性パターン４２２が短絡した場合に、第１導電性パターン４２１と第２導電性パターン４２２との間が、電気的に接続される。このとき、第１パターンと第２パターンとの接続に伴って、検知回路４２５の入力電圧が低下する。抵抗４２４の抵抗値を十分大きくすることにより、短絡時の検知回路４２５の入力電圧は、グランド電位と略一致する。そして、第２導電性パターン４２２を介してグランド４２６に電圧が伝わる。そして、第２導電性パターン４２２に電圧が伝わるため、短絡前よりも、検知回路４２５に伝わる電圧の量が下がる。その結果、検知回路４２５は、Ｌｏｗ状態（Ｌレベル）の電位を検知し、検知信号を第１制御部１２に出力する。Ｘ線撮影装置１００は、透視撮影しながら、医師が被検体５０の治療、または検査を行うことがある。そのため、液体の例としては、治療に用いる造影剤などの薬剤、検査のため被検体５０から採取した被検体５０の血液および尿などの検体である。
【００３６】
図１に示すように、表示部５は、第２制御部５１とモニター５２とを含む。第２制御部５１は、撮影部２において取得された取得したＸ線画像をモニター５２に表示させる制御を行う。また、第２制御部５１は、基板４の第１制御部１２からの検知信号に基づき警告をモニター５２に表示させる制御を行う。ここで、第２制御部５１は、特許請求の範囲に記載された「制御部」の一例である。モニター５２には、Ｘ線画像が動画像で表示される。そのため、ユーザは、Ｘ線画像を確認しながら、被検体５０の治療または検査を行うことができる。
【００３７】
外部操作部６は、たとえば、コンソールである。ユーザは、外部操作部６を介してＸ線撮影装置１００の操作を行う。
【００３８】
図６を参照し、本実施形態にかかるＸ線撮影装置１００の動作ついて、説明する。
【００３９】
ステップ２００では、基板４は、被検体５０と撮影部２との位置を調整するための操作入力を受け付ける。操作入力を行うのは、たとえば、放射線撮影を行う技師である。
【００４０】
ステップ２０１では、基板４は、操作された操作入力部３１に対する回路４１がオフ状態からオン状態になる。そして、基板４は、オン状態の出力信号を第１制御部１２に出力する。
【００４１】
ステップ２０２では、検知回路４２５は、第１導電性パターン４２１の電位がＨｉｇｈ状態か否かを検知する。電位がＨｉｇｈ状態の場合は、ステップ２０３に進み、Ｈｉｇｈ状態でない場合（Ｌｏｗ状態の場合）は、ステップ２０９に進む。
【００４２】
ステップ２０３では、第１制御部１２は、出力信号に基づき被検体５０と撮影部２との位置を調整する制御を行う。
【００４３】
ステップ２０４では、基板４は、Ｘ線透視撮影を開始するための操作入力部３１を介した操作入力を受け付ける。操作入力を行うのは、たとえば、放射線撮影の技師である。
【００４４】
ステップ２０５では、検知回路４２５は、第１導電性パターン４２１の電位がＨｉｇｈ状態か否を検知する。電位がＨｉｇｈ状態の場合は、ステップ２０６に進み、Ｈｉｇｈ状態でない場合（Ｌｏｗ状態の場合）は、ステップ２０９に進む。
【００４５】
ステップ２０６では、基板４は、操作された操作入力部３１に対する回路４１がオフ状態からオン状態になるため、オン状態の出力信号を第１制御部１２に出力する。
【００４６】
ステップ２０７では、第１制御部１２は、撮影部２と通信し、出力信号を送る。信号を受信した撮影部２は、Ｘ線撮影を開始する。
【００４７】
ステップ２０８では、第２制御部５１は、Ｘ線画像を表示するようにモニター５２を制御する。そして、モニター５２に表示されたＸ線画像を見ながら、医師は、治療または検査を開始する。たとえば、医師は、Ｘ線画像を確認しながら、カテーテルを使用する治療を行う。また、医師は、Ｘ線画像を確認しながら、カテーテルを使用し、検体を採取する。
【００４８】
検知回路４２５が、第１導電性パターン４２１の電位がＨｉｇｈ状態でない場合（Ｌｏｗ状態の場合）であることを検知した場合について説明する。ステップ２０９では、検知回路４２５が第１導電性パターン４２１のＬｏｗ状態を検知すると、検知回路４２５は、第１制御部１２に検知信号を出力する。
【００４９】
ステップ２１０では、第１制御部１２は、検知回路４２５から受信した検知信号に基づいて、基板４から出力された出力信号を処理しない制御を行う。
【００５０】
ステップ２１１では、第１制御部１２は第２制御部５１に通信し、警告をモニター５２に表示する制御を行うように信号を送る。
【００５１】
ステップ２１２では、第２制御部５１は、モニター５２に警告を表示する制御を行う。ユーザは、モニター５２に表示された警告に従い、対処を行う。
【００５２】
（本実施形態の効果）
本実施形態では、以下のような効果を得ることができる。
【００５３】
本実施形態では、上記のように、Ｘ線撮影装置１００は、Ｘ線撮影台１に配置される複数の操作入力部３１を含む操作パネル３と、操作パネル３の内部に配置され、操作入力部３１が操作されることにより出力信号を出力する回路４１と、液体の侵入を検知する検知部４２とを含む基板４を備える。これにより、操作パネル３に接続された回路４１を含む基板４に検知部４２を設けることにより、Ｘ線撮影装置１００本体の操作パネル３に電気的に接続され、Ｘ線撮影装置１００の内部に配置された基板４に液体が侵入するのを検知することができる。
【００５４】
また、本実施形態では、上記のように、検知部４２は、基板４の表面上に配置される第１導電性パターン４２１と、基板４の表面上に第１導電性パターン４２１と離間して配置される第２導電性パターン４２２とを含み、第１導電性パターン４２１と第２導電性パターン４２２とが短絡したことに基づいて液体の侵入を検知する。これにより、第１導電性パターン４２１と第２導電性パターン４２２とを離間して配置することにより、液体が侵入していない場合は、第１導電性パターン４２１と第２導電性パターン４２２とは短絡しない。そして、侵入した液体が第１導電性パターン４２１と第２導電性パターン４２２とに接触することにより、第１導電性パターン４２１と第２導電性パターン４２２とが短絡する。そのため、第１導電性パターン４２１と第２導電性パターン４２２との短絡を検知することにより、液体の侵入を検知することができる。
【００５５】
また、本実施形態では、上記のように、第１導電性パターン４２１と、第２導電性パターン４２２とは、回路４１を囲むように、所定の間隔を隔てて、並べて配置されている。これにより、回路４１を囲むように配置することにより、基板４の外周から液体が侵入する場合に、回路４１に到達する前に液体の侵入を確実に検知することができる。また、操作パネル３における複数の操作入力部３１の各々に対して液体の侵入を検知する検知部４２を設ける場合と比して、操作パネル３の製造コストを小さくすることができるとの効果も奏する。
【００５６】
また、本実施形態では、上記のように、検知部４２は、第１導電性パターン４２１に接続された、電源４２３、抵抗４２４、および検知回路４２５をさらに含み、第２導電性パターン４２２は、グランド４２６に接続されている。これにより、第１導電性パターン４２１と第２導電性パターン４２２とが短絡していない状態では、電源４２３の電圧が検知回路４２５に伝わる。一方、第１導電性パターン４２１と第２導電性パターン４２２とが短絡することにより、電源４２３とグランド４２６とが接続される。その場合、短絡していない状態と比べて、検知回路４２５が検知する電圧が小さくなる。これにより、電圧の差を利用することにより、第１導電性パターン４２１と第２導電性パターン４２２との短絡を検知部４２は、検知回路４２５により検知することができる。その結果、検知回路４２５に入力される電圧レベルを監視するだけの簡素な構成により、容易に液体の侵入を検知することができる。
【００５７】
また、本実施形態では、上記のように、第２導電性パターン４２２は、第１導電性パターン４２１よりも外側に配置されている。これにより、検知回路４２５と検知回路４２５が接続されている第１導電性パターン４２１とを第２導電性パターン４２２よりも内側に配置することができる。そのため、検知回路４２５と第１導電性パターン４２１とを接続するための配線を、第２導電性パターン４２２を跨ぐように配置する必要がないため、検知回路４２５と第１導電性パターン４２１とを容易に配線により接続することができる。
【００５８】
また、本実施形態では、上記のように、第１導電性パターン４２１および第２導電性パターン４２２は、基板４の表面の外周部に沿って配置されている。これにより、基板４の表面の外周部に沿って配置することにより、複数の操作入力部３１に対応する複数の回路４１がある場合に、複数の回路４１全体を囲むように第１導電性パターン４２１および第２導電性パターン４２２を配置することができる。その結果、回路４１ごとに第１導電性パターン４２１および第２導電性パターン４２２を配置する場合と比べて、第１導電性パターン４２１および第２導電性パターン４２２の構成を簡素化することができる。
【００５９】
また、本実施形態では、上記のように、第１導電性パターン４２１および第２導電性パターン４２２は、基板４の表面と裏面とに設けられている。これにより、基板４の表面と裏面とのいずれの面に液体が侵入した場合であっても、検知部４２は、液体の侵入を検知することができる。
【００６０】
また、本実施形態では、上記のように、第１導電性パターン４２１と第２導電性パターン４２２とが短絡したときに、回路４１からの出力信号を処理しない制御を行う制御部をさらに含む。これにより、基板４に液体が侵入し、回路４１からユーザの操作に基づかない出力信号が出力された場合でも、制御部が処理しないことにより、ユーザが意図しないＸ線撮影装置１００の動作を抑制することができる。
【００６１】
また、本実施形態では、上記のように、第１導電性パターン４２１と第２導電性パターン４２２とが短絡したときに、警告を表示する表示部５をさらに含む。これにより、表示部５に表示された警告により、ユーザは、操作パネル３に電気的に接続されたＸ線撮影装置１００の内部に配置された基板に液体が侵入したことを認識する。そのため、液体の侵入に気づかずにＸ線撮影装置が使用され続けることを抑制することができるとともに、液体の侵入に対して迅速に対処することができる。
【００６２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６３】
たとえば、上記実施形態では、モニターが、Ｘ線画像を動画像で表示する例を示したが、本発明はこれに限られない。モニターが、Ｘ線画像を静止画で表示してもよい。
【００６４】
また、上記実施形態では、第１導電性パターンと、第２導電性パターンとは、基板の表面の外周部に沿って、複数の回路全体を囲むように配置されている例を示したが、本発明はこれに限られない。第１導電性パターンと、第２導電性パターンとが、複数の回路ごとに配置されてもよい。
【００６５】
また、上記実施形態では、第２導電性パターンは、第１導電性パターンよりも外側に配置されている例を示したが、本発明はこれに限られない。第２導電性パターンは、第１導電性パターンよりも内側に配置されていてもよい。
【００６６】
また、上記実施形態では、第１導電性パターンおよび前記第２導電性パターンは、前記基板の表側表面と裏側表面とに設けられている例を示したが、本発明はこれに限られない。第１導電性パターンおよび第２導電性パターンは、基板の表側表面、または、裏側表面のいずれか一方に設けられていてもよい。
【００６７】
また、上記実施形態では、検知回路が、第１導電性パターンと第２導電性パターンとが短絡したときに、電位を検知する例を示したが、本発明はこれに限られない。検知回路が、第１導電性パターンと第２導電性パターンとが短絡したときに、電流を検知してもよい。
【００６８】
また、上記実施形態では、第１導電性パターンと第２導電性パターンとが短絡したときに、検出回路がＨｉｇｈ状態（Ｈレベル）からＬｏｗ状態（Ｌレベル）になる例を示したが、本発明はこれに限られない。第１導電性パターンと第２導電性パターンとが短絡したときに、検出回路がＬｏｗ状態からＨｉｇｈ状態になってもよい。つまり、非短絡時に検知回路にＬレベルの電位が入力され、短絡時に検知回路にＨレベルの電位が入力されるように、検知部を構成してもよい。
【符号の説明】
【００６９】
１  Ｘ線撮影台
２  撮影部
３  操作パネル
４  基板
５  表示部
１１  天板
１２  第１制御部（制御部）
２１  Ｘ線源
２２  Ｘ線検出器
３１  操作入力部
３２  スイッチ
４１  回路
４２  検知部
５１  第２制御部（制御部）
１００  Ｘ線撮影装置
４２１  第１導電性パターン
４２２  第２導電性パターン
４２３  電源
４２４  抵抗
４２５  検知回路
４２６  グランド
【図１】
2020171484.tif 000003
【図２】
2020171484.tif 000004
【図３】
2020171484.tif 000005
【図４】
2020171484.tif 000006
【図５】
2020171484.tif 000007
【図６】
2020171484.tif 000008